(57)【要約】【課題】洗浄タンクの底面に設けられた排水口からゴミが流れ出すことを防止するフィルタ部を容易かつ精度よく設置でき、また容易に取り外しできる洗浄機を提供する。【解決手段】洗浄機１は、洗浄室２Ａに収容された被洗浄物Ｄを洗浄する洗浄機であって、洗浄室の下方に配置され、底面に排水口が設けられている洗浄タンク９と、ゴミの通過を遮断するフィルタ部６１と、フィルタ部から上方に向かって延在する把手部６３と、を有するフィルタユニット６０と、排水口の上方に設けられ、把手部を係止可能な位置決め部７０と、を備え、フィルタユニットは、把手部が位置決め部に係止されたとき、フィルタ部が排水口を覆う規定位置に位置するように形成されている。【選択図】図６
2018102557.tif 000002
【特許請求の範囲】
【請求項１】
洗浄室に収容された被洗浄物を洗浄する洗浄機であって、
洗浄室の下方に配置され、底面に排水口が設けられている洗浄タンクと、
ゴミの通過を遮断するフィルタ部と、前記フィルタ部から上方に向かって延在する把手部と、を有するフィルタユニットと、
前記排水口の上方に設けられ、前記把手部を係止可能な位置決め部と、を備え、
前記フィルタユニットは、前記把手部が前記位置決め部に係止されたとき、前記フィルタ部が前記排水口を覆う規定位置に位置するように形成されている、洗浄機。
【請求項２】
前記把手部は、一方向に間隔を開けて配置される一対の棒状部材であり、
前記把手部は、一定の前記間隔を開けた状態で上方に延在する本体部と、上方に向かって徐々に前記間隔が狭くなるテーパ部と、前記テーパ部において前記間隔が所定距離になる部分に形成され、前記位置決め部に係止される係止部と、を有している、請求項１記載の洗浄機。
【請求項３】
前記位置決め部は、前記係止部の前記一方向への移動を規制する、請求項２記載の洗浄機。
【請求項４】
前記位置決め部は、前記把手部を下方に落とし込むことが可能な落とし込み部が形成されている、請求項１〜３の何れか一項記載の洗浄機。
【請求項５】
前記洗浄タンクにおける上限水位を検知するセンサを更に備え、
前記位置決め部は、前記センサよりも上方に形成されている、請求項１〜４の何れか一項記載の洗浄機。
【請求項６】
前記位置決め部は、前記センサを囲むように形成されるフレームの一部に形成されている、請求項５記載の洗浄機。
【請求項７】
前記フィルタ部は、開口部を有する箱状に形成されており、
前記フィルタユニットは、前記把手部が前記位置決め部に係止された状態において、前記フィルタ部の開口部が前記排水口に面するように形成されている、請求項１〜６の何れか一項記載の洗浄機。
【請求項８】
前記排水口には、前記フィルタ部とは異なる別部材のフィルタ部材が配置されており、前記フィルタ部材には、前記フィルタユニットの前記フィルタ部を前記規定位置に案内する案内部が形成されている、請求項１〜７の何れか一項記載の洗浄機。
【発明の詳細な説明】
【技術分野】
【０００１】
本発明は、食器等の被洗浄物の洗浄を行う洗浄機に関する。
【背景技術】
【０００２】
洗浄タンクに貯留された水を洗浄室内に収容された食器に噴射して洗浄を行い、濯ぎ水タンク内に貯留された水を食器に噴射して濯ぎを行う食器洗浄機が知られている。例えば、特許文献１（特開平３−２０７３３０号公報）には、洗浄タンクの底面に凹部を設け、この中に残菜等のゴミが排水口から排出されないように阻止するフィルタ部（ゴミかご）を収容する洗浄機（食器洗浄機）が開示されている。当該フィルタ部は、上方に延在する把手部（操作棒）が装着され、その長さを洗浄タンク内の洗浄湯面上に所定寸法突出する長さに設定されている。特許文献１に記載された洗浄機では、必要に応じてフィルタ部を容易に取り出すことができる。
【先行技術文献】
【特許文献】
【０００３】
【特許文献１】特開平３−２０７３３０号公報
【発明の概要】
【発明が解決しようとする課題】
【０００４】
しかしながら、洗浄タンクの底面は、手が届きにくく、特に洗浄水が貯留された状態では底面を目視することは困難である。このような状況において、把手部を持った状態でフィルタ部を規定置に配置することは困難である。また、フィルタ部が規定位置に配置されない場合には、残菜等のゴミが排水口に流れ込み、詰まり等の不具合を発生させるおそれがある。
【０００５】
そこで、本発明の目的は、洗浄タンクの底面に設けられた排水口からゴミが流れ出すことを防止するフィルタ部を容易かつ精度よく設置でき、また容易に取り外しできる洗浄機を提供することにある。
【課題を解決するための手段】
【０００６】
本発明の洗浄機は、洗浄室に収容された被洗浄物を洗浄する洗浄機であって、洗浄室の下方に配置され、底面に排水口が設けられている洗浄タンクと、ゴミの通過を遮断するフィルタ部と、フィルタ部から上方に向かって延在する把手部と、を有するフィルタユニットと、排水口の上方に設けられ、把手部を係止可能な位置決め部と、を備え、フィルタユニットは、把手部が位置決め部に係止されたとき、フィルタ部が排水口を覆う規定位置に位置するように形成されている。
【０００７】
この構成の洗浄機では、フィルタ部から上方に延在する把手部が形成されているので、作業者は、手が届きにくい洗浄タンクの底面であっても、当該把手部を把持することによって、容易にフィルタ部を規定位置に設置することができる。また、フィルタユニットは、把手部が位置決め部に係止された状態において、フィルタ部が排水口を覆う規定位置に位置するように形成されているので、位置決め部に把手部を引っ掛ける（係止する）だけの簡易な作業でフィルタ部を規定位置に精度よく設置できる。また、作業者は、把手部を引っ張り上げるだけの簡易な作業でフィルタ部を取り外すことができる。
【０００８】
本発明の洗浄機では、把手部は、一方向に間隔を開けて配置される一対の棒状部材であり、把手部は、一定の間隔を開けた状態で上方に延在する本体部と、上方に向かって徐々に間隔が狭くなるテーパ部と、テーパ部において間隔が所定距離になる部分に形成され、位置決め部に係止される係止部と、を有していてもよい。この構成の洗浄機では、位置決め部の上方からフィルタユニットを落下させると、把手部（すなわち、フィルタユニット）は、係止部が位置決め部に係止されるまでテーパ部に沿って案内される。そして、係止部が位置決め部に係止されると同時に、フィルタ部が上記規定位置に配置される。したがって、作業者は、位置決め部の真上から多少ずれた位置からフィルタユニットを落下させたとしても、フィルタ部は規定位置に設置される。この結果、フィルタ部を設置する際の作業性が向上する。
【０００９】
本発明の洗浄機では、位置決め部は、係止部の一方向への移動を規制してもよい。これにより、フィルタ部の規定位置に配置する際の当該一方向に対する設置精度を高めることができる。
【００１０】
本発明の洗浄機では、位置決め部は、把手部を下方に落とし込むことが可能な落とし込み部が形成されてもよい。この構成の洗浄機では、作業者は、当該落とし込み部の上方からフィルタユニットを落下させるだけの簡易な作業で、把手部を位置決め部に係止させることができる。
【００１１】
本発明の洗浄機では、洗浄タンクにおける上限水位を検知するセンサを更に備え、位置決め部は、センサよりも上方に形成されていてもよい。この構成の洗浄機では、把手部において位置決め部に係止される部分を洗浄タンクの水面位置よりも高くすることができる。これにより、フィルタ部の着脱作業の際に、作業者が手を洗浄水の中に入れる必要がなくなり、その作業を容易に実施することが可能になる。
【００１２】
本発明の洗浄機では、位置決め部は、センサを囲むように形成されるフレームの一部に形成されてもよい。この構成の洗浄機では、別部材として位置決め部を設ける場合と比べ、部品点数を削減することができる。また、センサは、フレームによって囲まれることによって保護されているので、洗浄タンクの清掃時に作業者が触れてセンサが破壊される可能性を低減できる。
【００１３】
本発明の洗浄機では、フィルタ部は、開口部を有する箱状に形成されており、フィルタユニットは、把持部が位置決め部に係止された状態において、フィルタ部の開口部が排水口に面するように形成されてもよい。この構成の洗浄機では、フィルタの面積を大きくすることができるので、フィルタが目詰まりするまでのゴミの量を増やすことができる。言い換えれば、ゴミによってフィルタが詰まるまでの時間を長くすることができる。また、この構成の洗浄機では、例えば、排水口に別途フィルタ部材を設ける構成であっても、当該フィルタ部材を収容するような状態でフィルタ部を規定位置に設置することが可能になる。
【００１４】
本発明の洗浄機では、排水口には、フィルタ部とは異なる別部材のフィルタ部材が配置されてもよい。この構成の洗浄機では、排水口に二つのフィルタが設けられることになるので、ゴミ等が排水口に流れ込むことをより確実に防止することができる。
【００１５】
本発明の洗浄機では、排水口には、フィルタ部とは異なる別部材のフィルタ部材が配置されており、フィルタ部材には、フィルタユニットのフィルタ部を規定位置に案内する案内部が形成されてもよい。この構成の洗浄機では、排水口に二つのフィルタが設けられることになるので、ゴミ等が排水口に流れ込むことをより確実に防止することができると共に、フィルタ部の設置精度をより一層高めることができる。
【発明の効果】
【００１６】
本発明によれば、洗浄タンクの底面に設けられた排水口からゴミが流れ出すことを防止するフィルタ部を容易かつ精度よく設置でき、また容易に取り外しできる。
【図面の簡単な説明】
【００１７】
【図１】一実施形態に係る食器洗浄機の斜視図である。
【図２】一実施形態に係る食器洗浄機の概略構成を示す断面図である。
【図３】図１のフロートガード及びフィルタユニットを左方から見たときの拡大図である。
【図４】図１のフロートガード及びフィルタユニットを後方から見たときの拡大図である。
【図５】図１のフロートガードの斜視図である。
【図６】図１のフロートガード及びフィルタユニットの断面斜視図である。
【図７】図１のフィルタユニットの取付手順を説明する図である。
【図８】（Ａ）〜（Ｃ）は変形例に係る把手部をそれぞれ後方から見たときの拡大図である。
【図９】変形例に係る食器洗浄機の斜視図である。
【発明を実施するための形態】
【００１８】
以下、図面を参照して一実施形態に係る食器洗浄機（洗浄機）１について説明する。図面の説明において、同一要素には同一符号を付し、重複する説明を省略する。なお、説明の便宜のため、図１において、前後方向、左右方向、及び上下方向をそれぞれ設定した。
【００１９】
図１に示されるように、一実施形態に係る食器洗浄機１は、洗浄室２Ａの前面にドア４が設けられたアンダーカウンタ式の洗浄機である。図１及び図２に示されるように、食器洗浄機１は、本体部２と、上側洗浄ノズル５と、上側濯ぎノズル６と、下側洗浄ノズル７と、下側濯ぎノズル８と、洗浄タンク９と、フィルタユニット６０と、位置決め部７０と、フロートガード７１と、フィルタ部材８０と、貯湯タンク１８と、洗剤供給ポンプ３２と、リンス剤供給ポンプ３７と、を備えている。
【００２０】
本体部２は、ステンレス製のパネルにより形成されている。本体部２は、食器（被洗浄物）Ｄをセットしたラックを出し入れする開口部が前方に向かって開口している洗浄室２Ａと、洗浄タンク９、貯湯タンク１８、マイクロコンピュータ（以下「マイコン」という）９１等が設けられている機械室２Ｂと、に区画されている。本体部２の底面の四隅には、脚部３が取り付けられている。
【００２１】
本体部２には、洗浄室２Ａ内に食器Ｄを出し入れするためのドア４が取り付けられている。洗浄室２Ａ内には、ラックレール２Ｃが設けられ、このラックレール上に、食器Ｄが並べられた食器ラック（図示せず）が載置される。本体部２の前面におけるドア４の上部には、使用者が各種設定を入力するための操作パネル２Ｄが設けられている。
【００２２】
上側洗浄ノズル５及び上側濯ぎノズル６は、洗浄室２Ａの上部に設けられている。上側洗浄ノズル５は、放射状に延びる３本のアームを含んでおり回転自在に配置されている。上側濯ぎノズル６は、２本のアームを含んでおり回転自在に配置されている。下側洗浄ノズル７及び下側濯ぎノズル８は、洗浄室２Ａの下部に設けられている。下側洗浄ノズル７は、放射状に延びる３本のアームを含んでおり回転自在に配置されている。下側濯ぎノズル８は、２本のアームを含んでおり回転自在に配置されている。
【００２３】
食器ラックに並べられた食器Ｄには、洗浄工程において上側洗浄ノズル５及び下側洗浄ノズル７によって上下から洗浄水が噴射され、濯ぎ工程において上側濯ぎノズル６及び下側濯ぎノズル８によって上下から濯ぎ水が噴射される。
【００２４】
洗浄タンク９は、洗浄室２Ａの下方に配置されており、洗浄水を貯留する。洗浄タンク９には、洗浄水の水位を検知するための水位検知スイッチ１０Ａ及び，水位検知スイッチ（センサ）１０Ｂが設けられている。水位検知スイッチ１０Ａは、洗浄タンク９内の水位が所定水位Ｈ１を超えている場合にＯＮとなり、所定水位Ｈ１以下の場合にＯＦＦとなるスイッチである。水位検知スイッチ１０Ａは、洗浄タンク９の上限水位よりも下方、かつ、洗浄水吸込管１３よりも上方に取り付けられている。洗浄ポンプ１４は、駆動中に空気を吸い込むと、いわゆるエア噛みを起こして洗浄ノズル５，７から洗浄水を噴射できなくなる。一実施形態では、水位検知スイッチ１０Ａが運転中にＯＦＦになったときに食器洗浄機１の運転を停止することで、洗浄ポンプ１４による空気の吸い込みを防止する。
【００２５】
水位検知スイッチ１０Ｂは、洗浄タンク９内の水位が所定水位Ｈ２を超えている場合にＯＮとなり、所定水位Ｈ２以下の場合にＯＦＦとなるスイッチである。水位検知スイッチ１０Ｂは、洗浄タンク９の上限水位となる位置に取り付けられている。水位検知スイッチ１０Ｂは、給水時（初期給水又は濯ぎ工程）の上限水位を規定したり、排水ポンプ５３が作動した後に洗浄タンク９内の水が正常に排出されているかを確認したりするために設けられる。
【００２６】
洗浄タンク９内には、洗浄水を所定温度に維持するための洗浄水ヒータ１１Ａと、洗浄水の温度を検知するための洗浄水温度センサ１１Ｂとが設置されている。洗浄水ヒータ１１Ａは、殺菌能力及び洗浄能力を向上させるために洗浄水を加熱する。洗浄水温度センサ１１Ｂは、検知する洗浄水の温度をマイコン９１に出力する。洗浄水ヒータ１１Ａは、マイコン９１によって作動の制御がなされる。マイコン９１は、洗浄水温度センサ１１Ｂが検知する水温に基づいて、洗浄水を所定温度に維持するように洗浄水ヒータ１１Ａの作動を制御する。
【００２７】
洗浄タンク９の側面には、洗浄水吸込管１３を介して洗浄ポンプ１４が接続されている。洗浄タンク９の洗浄水吸込管１３が取り付けられた部分には、ポンプフィルタ１２が設けられている。洗浄ポンプ１４の吐出口には洗浄水吐出管１５が接続されている。洗浄水吐出管１５は、第一洗浄水吐出管１６と第二洗浄水吐出管１７とに分岐している。第一洗浄水吐出管１６は、上側洗浄ノズル５に接続されている。第二洗浄水吐出管１７は、下側洗浄ノズル７に接続されている。
【００２８】
洗浄タンク９の底面９ａには、排水口５２ａが設けられている。排水口５２ａには、排水管５２が接続されている。排水管５２には洗浄タンク９から洗浄水を排出する排水ポンプ５３が設けられている。排水ポンプ５３は、マイコン９１によって制御される。
【００２９】
図３及び図４に示されるように、フィルタユニット６０は、残菜等のゴミが排水口５２ａに流れ込むことを防止するために配置され、洗浄タンク９から取り外しが可能である。フィルタユニット６０は、ステンレススチール等の材料により形成されており、フィルタ部６１と、把手部６３と、を有している。フィルタ部６１は、残菜等のゴミが通過することを遮断する部材である。フィルタ部６１は、略正六面体をなしており、一つの面に開口部６１ａが形成された箱状の部材である。開口部６１ａの周りには、洗浄タンク９の底面９ａに接触される枠体６５が形成されている。フィルタ部６１において、開口部６１ａを除く残りの五つの面６１ｂは、複数の孔が形成された材料により形成されている。
【００３０】
把手部６３は、フィルタ部６１から上方に延在している。把手部６３は、フィルタ部６１において左右方向に互いに対向する面６１ｂの外側に設けられる一対の棒状部材であり、フィルタ部６１の上方で互いに接続されている。図４に示されるように、後方から見たときに、把手部６３は、逆Ｕ字状に形成されている。把手部６３は、枠体６５を起点として鉛直方向に直線状に延在する本体部６３ａと、上方に向かって第二距離Ｌ２から第一距離Ｌ１にまで徐々に互いの間隔が狭くなるテーパ部６３ｂと、当該間隔が第一距離Ｌ１になる部分であり、位置決め部７０に係止される係止部６３ｃと、を有している。
【００３１】
フィルタユニット６０は、把手部６３における係止部６３ｃが後段にて詳述する位置決め部７０（落とし込み部７３ａ）に係止されたとき、フィルタ部６１が排水口５２ａを完全に覆うように形成されている。
【００３２】
位置決め部７０は、排水口５２ａの上方に設けられており、把手部６３を係止可能に形成されている。図５に示されるように、本実施形態の位置決め部７０は、水位検知スイッチ１０Ｂを保護するフロートガード７１の一部として形成されている。具体的には、位置決め部７０は、把手部６３を下方に落とし込むことが可能な落とし込み部７３ａとして形成されている。また、位置決め部７０は、水位検知スイッチ１０Ｂよりも上方に形成されている。位置決め部７０は、係止部６３ｃの左右方向（一方向）への移動を規制する。
【００３３】
フロートガード７１は、フレーム７３と、ベース部７５と、を有している。フレーム７３は、水位検知スイッチ１０Ｂを囲むように配置されている。ベース部７５は、フレーム７３の基端部を固定している。ベース部７５は、洗浄タンク９の側面９ｂにパッキン等のシール部を介して固定されている。
【００３４】
図６に示されるように、フィルタ部材８０は、排水口５２ａにゴミ等が流れ込むことを防止する部材である。フィルタ部材８０は、ねじ８５等によって洗浄タンク９の底面９ａに固定されている。フィルタ部材８０は、ステンレススチール等の材料により形成されており、本体部８１と、案内片（案内部）８３とを有している。本体部８１は、複数の孔が形成された平板状のメッシュ部材である。案内片８３は、本体部８１の周縁部の一部（本実施形態では、対向する互いに対向する二辺）から立設する平板状の部材であり、フィルタユニット６０のフィルタ部６１を規定位置に案内（誘導）する機能を有している。図４に示されるように、案内片８３の先端８３ａ側は、内側に斜め方向に折り曲げられている。また、案内片８３の先端８３ａの鉛直方向における位置は、フロートガード７１のフレーム７３の位置と同じとしてもよいし、フロートガード７１のフレーム７３の内側にしてもよい。
【００３５】
貯湯タンク１８は、食器Ｄを濯ぐ水が貯留されるタンクである。貯湯タンク１８には、外部の給湯器（図示せず）から給水管２１を介して水が供給される。給水管２１には、ストレーナ１９が設けられている。給水管２１におけるストレーナ１９の下流側には、ウォータバルブ２０が設けられている。ウォータバルブ２０は、マイコン９１によって制御されている（図３参照）。ウォータバルブ２０は、水位センサ２２における水位の検知と連動して弁を開閉し、貯湯タンク１８に貯留される濯ぎ水の水位を一定に維持する。
【００３６】
貯湯タンク１８内には、濯ぎ水を所定温度に維持するための濯ぎ水ヒータ２３Ａと、濯ぎ水の温度を検知するための濯ぎ水温度センサ２３Ｂとが設置されている。濯ぎ水ヒータ２３Ａは、殺菌能力を向上させるために濯ぎ水を加熱する。濯ぎ水温度センサ２３Ｂは、検知する濯ぎ水の温度をマイコン９１に出力する。濯ぎ水ヒータ２３Ａは、マイコン９１によって作動の制御がなされる。マイコン９１は、濯ぎ水温度センサ２３Ｂが検知する水温に基づいて、濯ぐ水を所定温度に維持するように濯ぎ水ヒータ２３Ａの作動を制御する。
【００３７】
貯湯タンク１８には、濯ぎ水吸込管２４を介して濯ぎポンプ２５が接続されている。この濯ぎポンプ２５の吐出口には濯ぎ水吐出管２６が接続されている。濯ぎ水吐出管２６は、第一濯ぎ水吐出管２７と第二濯ぎ水吐出管２８とに分岐している。第一濯ぎ水吐出管２７は、上側濯ぎノズル６に接続されている。第二濯ぎ水吐出管２８は、下側濯ぎノズル８に接続されている。
【００３８】
洗剤供給ポンプ３２は、食器洗浄機１の外側、すなわち、本体部２の外側に配置されている。洗剤供給ポンプ３２は、洗剤タンク３３内に貯留された洗剤を洗浄室２Ａに供給するためのベローズポンプである。洗剤供給ポンプ３２は、洗浄室２Ａの側壁に接続された洗剤吐出管３４と接続され、信号線によりマイコン９１に接続されている。洗剤供給ポンプ３２は、マイコン９１から出力される信号に応じて動作し、接続された洗剤吸込管３５から洗剤タンク３３内の洗剤を吸い込み、洗剤吐出管３４へ所定量の洗剤を吐出する。この洗剤は、洗剤吐出管３４の先端に設けられ、洗浄室２Ａと洗剤吐出管３４とを接続する洗剤吐出口３６から洗浄室２Ａ内に吐出される。洗浄室２Ａ内に吐出された洗剤は、洗浄室２Ａの下方の洗浄タンク９内に流れ込み洗浄水と混入される。
【００３９】
リンス剤供給ポンプ３７は、食器洗浄機１の外側、すなわち、本体部２の外側に配置されている。リンス剤供給ポンプ３７は、リンス剤タンク３８内に貯留されたリンス剤を濯ぎ水路に供給するためのものである。リンス剤供給ポンプ３７は、第一濯ぎ水吐出管２７と連通するリンス剤吐出管３９に接続され、信号線によりマイコン９１に接続されている。リンス剤供給ポンプ３７は、マイコン９１から出力される信号に応じて動作し、接続されたリンス剤吸込管４０からリンス剤タンク３８内の洗剤を吸い込み、リンス剤吐出管３９へリンス剤を吐出する。リンス剤は、リンス剤供給ポンプ３７によってリンス剤吐出管３９から濯ぎ水吐出管２６内の濯ぎ水路へ吐出され、濯ぎ水に混入される。
【００４０】
マイコン９１は、機械室２Ｂに配置されている。マイコン９１は、食器洗浄機１における動作全般を制御する。マイコン９１は、電装ボックス９０に内蔵されている。マイコン９１は、集積回路に実装されたコンピュータシステムあるいはプロセッサである。マイコン９１は、食器洗浄機１における各種動作を制御する部分であり、ＣＰＵ（Central  Processing  Unit）、ＲＯＭ（Read  Only  Memory）、ＲＡＭ（Random  Access  Memory）等、相互に接続されている。
【００４１】
次に、上記実施形態のフィルタ部６１の取付手順について説明する。図７に示されるように、作業者は、フィルタユニット６０における把手部６３の上部を把持し、位置決め部７０であるフロートガード７１の上方に位置させる。次に、作業者は、フロートガード７１の上方からフィルタユニット６０を落下させる。これにより、フィルタユニット６０は、係止部６３ｃが位置決め部７０（落とし込み部７３ａ）に係止されるまでテーパ部６３ｂ（図４参照）に沿って案内される。そして、フィルタユニット６０は、係止部６３ｃが位置決め部７０に係止されると同時に、フィルタ部６１が上記規定位置に配置される（図３参照）。上記実施形態のフィルタ部６１を取り外す場合には、作業者は、例えば、把手部６３を把持し、上方に持ち上げる。
【００４２】
次に、上記実施形態の食器洗浄機１の作用効果について説明する。上記実施形態の食器洗浄機１では、図３及び図４に示されるように、フィルタ部６１から上方に延在する把手部６３が形成されているので、作業者は、手が届きにくい洗浄タンク９の底面９ａであっても、当該把手部６３を把持することによって、容易にフィルタ部６１を規定位置に設置することができる。また、フィルタユニット６０は、把手部６３が位置決め部７０に係止された状態において、フィルタ部６１が排水口５２ａを覆う規定位置に位置するように形成されているので、位置決め部７０（落とし込み部７３ａ）に把手部６３を引っ掛けるだけの簡易な作業でフィルタ部６１を規定位置に精度よく設置できる。また、作業者は、把手部６３を引っ張り上げるだけの簡易な作業でフィルタ部６１を取り外すことができる。
【００４３】
上記実施形態の食器洗浄機１では、洗浄タンク９の底面９ａに箱状のフィルタ部６１を収容するような凹部が形成されておらず、フラットな底面９ａであっても精度よくフィルタ部６１を設置することができる。
【００４４】
上記実施形態の食器洗浄機１では、図７に示されるように、位置決め部７０の上方からフィルタユニット６０を落下させると、フィルタユニット６０は、係止部６３ｃが位置決め部７０に係止されるまでテーパ部６３ｂに沿って案内される。そして、係止部６３ｃが位置決め部７０に係止されると同時に、フィルタ部６１が上記規定位置に配置される。したがって、作業者は、位置決め部７０の真上から多少ずれた位置からフィルタユニット６０を落下させたとしても、フィルタ部６１は規定位置に設置される。この結果、フィルタ部６１を設置する際の作業性が向上する。
【００４５】
上記実施形態の食器洗浄機１では、図４に示されるように、位置決め部７０は、係止部６３ｃの左右方向への移動を規制するので、フィルタ部６１の規定位置に配置する際の当該左右方向に対する設置精度を高めることができる。
【００４６】
上記実施形態の食器洗浄機１では、図３に示されるように、位置決め部７０は、把手部６３を下方に落とし込むことが可能な落とし込み部７３ａとして形成されているので、作業者は、当該落とし込み部７３ａの上方からフィルタユニット６０を落下させる簡易な作業で、把手部６３を位置決め部に係止させることができる。
【００４７】
上記実施形態の食器洗浄機１では、図３に示されるように、位置決め部７０は、洗浄水の水位を検知するための水位検知スイッチ１０Ｂよりも上方に形成されているので、把手部６３が位置決め部７０に係止される部分を洗浄水の水面位置よりも高くすることができる。これにより、フィルタ部６１の着脱作業の際に、作業者が手を洗浄水の中に入れる必要がなくなり、その作業を容易に実施することが可能になる。
【００４８】
上記実施形態の食器洗浄機１では、位置決め部７０は、図５に示されるように、水位検知スイッチ１０Ｂを囲むように形成されるフレーム７３の一部として形成されているので、位置決め部７０を専用の別部材として設ける場合と比べ、部品点数を削減することができる。また、水位検知スイッチ１０Ｂは、フレーム７３によって囲まれることによって保護されているので、洗浄タンク９の清掃時に作業者が触れて水位検知スイッチ１０Ｂが破壊される可能性を低減できる。
【００４９】
上記実施形態の食器洗浄機１では、図６に示されるように、フィルタ部６１は、開口部６１ａを有する箱状に形成されているので、フィルタ部６１のフィルタ面積を大きくすることができ、フィルタが目詰まりするまでのゴミの量を増やすことができると共に、排水口５２ａにフィルタ部材８０を設ける構成であっても、当該フィルタ部材８０を収容するような状態でフィルタ部６１を規定位置に設置することができる。また、フィルタ部６１とは異なる別部材のフィルタ部材８０を配置することにより、ゴミ等が排水口５２ａに流れ込むことをより確実に防止することができる。また、フィルタ部材８０には、フィルタユニット６０のフィルタ部６１を規定位置に案内する案内片８３が形成されているのでフィルタ部６１の左右方向への設置精度をより一層高めることができる。
【００５０】
また、上記フィルタ部材８０を有する構成では、把手部６３を位置決め部７０に係止しようとする動作の途中では、フィルタ部６１の内側面の位置が必ず案内片８３の外側に位置するようになっている。これにより、作業者が多少雑な取り付けを行ったとしても、フィルタ部６１の内側面が案内片８３に案内されてフィルタ部６１が規定位置に配置される。この結果、フィルタ部６１を、左右方向だけでなく前後方向にも精度よく配置することができる。
【００５１】
以上、一実施形態について説明したが、本発明は、上記実施形態に限られるものではなく、発明の趣旨を逸脱しない範囲で種々の変形が可能である。
【００５２】
＜変形例１＞
上記実施形態の把手部６３では、上方に向かって第二距離Ｌ２から第一距離Ｌ１にまで徐々に互いの間隔が狭くなるテーパ部６３ｂが形成されている例を挙げて説明したが、例えば、図８（Ａ）に示されるように、テーパ部６３ｂを有さない把手部６３としてもよい。また、上記実施形態の把手部６３では、左右方向に間隔をあけて配置される一対の本体部６３ａがテーパ部６３ｂを経て互いに接続されている例を挙げて説明したが、例えば、図８（Ｂ）に示されるように、互いに接続されない構成としてもよい。すなわち、一対の本体部６３ａ（又はテーパ部６３ｂ）のそれぞれに、逆Ｌ字状につながる係止部６３ｃが形成されていてもよい。また、図８（Ｃ）に示されるように、一対の本体部６３ａ（又はテーパ部６３ｂ）のそれぞれから枝分かれするような形状で係止部６３ｃが形成されていてもよい。これらの場合も、洗浄タンク９の底面９ａに設けられた排水口５２ａからゴミが流れ出すことを防止するフィルタ部６１を容易かつ精度よく設置でき、また容易に取り外しできる。
【００５３】
＜変形例２＞
上記実施形態では、位置決め部７０がフロートガード７１のフレーム７３に係止される例を挙げて説明したが、これに限定されない。例えば、図９に示されるように、洗浄室２Ａと、洗浄タンク９とを仕切るタンクフィルタ１０９又はセパレータ２０９等に位置決め部が設けられる構成であってもよい。なお、セパレータ２０９とは、洗浄室２Ａから洗浄タンク９の凹部が見えないようにする塞ぐ部材である。例えば、タンクフィルタ１０９に矩形の開口部１０９ａを設け、開口部１０９ａの周縁に位置決め部としての凹状の受け部１７０を設ける。開口部１０９ａ及び受け部１７０は、排水口５２ａの上方に形成されている。セパレータ２０９に、タンクフィルタ１０９と同様の開口部２０９ａ及び受け部２７０を設けてもよい。
【００５４】
フィルタユニット１６０は、残菜等のゴミが通過することを遮断する部材であるフィルタ部１６１と、フィルタ部６１から上方に延在する把手部１６３と、を有している。把手部１６３には、板状の係止部１６３ｃが形成されている。そして、フィルタユニット１６０は、把手部１６３における係止部１６３ｃが位置決め部である受け部１７０（２７０）に係止されたとき、フィルタ部１６１が排水口５２ａを覆う規定位置に位置するように形成されている。このような構成のタンクフィルタ１０９（又はセパレータ２０９）及びフィルタユニット１６０を有する食器洗浄機であっても、上記実施形態と同様の効果を得ることができる。
【００５５】
＜その他の変形例＞
上記実施形態又は変形例では、フロートガード７１（タンクフィルタ１０９又はセパレータ２０９）に位置決め部７０（１７０，２７０）を設ける例を挙げて説明したが、位置決め部を形成する専用の部材を設けてもよい。
【００５６】
上記実施形態又は変形例では、排水口５２ａを覆うフィルタ部材８０が設けられた構成を示したが、上記実施形態又は変形例のフィルタユニット６０，１６０のみを備える食器洗浄機であってもよい。
【００５７】
上記実施形態及び変形例では、排水ポンプ５３の作用により洗浄タンク９の水が排水口５２ａから排出される例を挙げて説明したが、例えば、排水管５２に開閉弁を設け、弁を開くことによって重力で排水する構成の食器洗浄機にも適用することができる。
【００５８】
上記実施形態及び変形例は、上述したようなオーブンのように洗浄機本体の前面側にドアが設けられたタイプの食器洗浄機１に適用するだけでなく、例えば、ドアが上下に開閉するタイプの食器洗浄機等にも適用することができる。
【００５９】
本願発明は、上記実施形態及びその他の変形例を適宜組み合わせてもよい。
【符号の説明】
【００６０】
１…食器洗浄機（洗浄機）、９…洗浄タンク、９ａ…底面、９ｂ…側面、１０Ｂ…水位検知スイッチ（センサ）、５２…排水管、５２ａ…排水口、６０…フィルタユニット、６１…フィルタ部、６３…把手部、６３ａ…本体部、６３ｂ…テーパ部、６３ｃ…係止部、７０…位置決め部、７１…フロートガード、７３…フレーム、７３ａ…落とし込み部、８０…フィルタ部材、８３…案内片（案内部）、１０９…タンクフィルタ、２０９…セパレータ、１６０…フィルタユニット、１６１…フィルタ部、１６３…把手部、１６３ｃ…係止部、１７０，２７０…受け部（位置決め部）。
【図１】
2018102557.tif 000003
【図２】
2018102557.tif 000004
【図３】
2018102557.tif 000005
【図４】
2018102557.tif 000006
【図５】
2018102557.tif 000007
【図６】
2018102557.tif 000008
【図７】
2018102557.tif 000009
【図８】
2018102557.tif 000010
【図９】
2018102557.tif 000011